(57)【要約】      （修正有）【課題】座位姿勢を臥位姿勢に変えた時、人体背中の背もたれに対応する位置の変化を減少する椅子を提供する。【解決手段】基座１は、両側が対向の側枠１２を有し、後方に第１枢着部１４が設けられている。背もたれ２は、下方に底棒２２が設けられており、２本の側棒２１の下方に側接合部２３が設けられている。２つの作動板３は、頂端に第２枢着部３１が設けられている。座部４は、２本の側棒４１の後端に２つの作動板３の第３枢着部３３と枢着する第５枢着部４３が設けられている。前方枠５は、２つの側板５１の後方に第４枢着部３４と枢着する第６枢着部５３が設けられており、第７枢着部５８が設けられている。後方枠６は、側板６１の後方に背もたれ２の側接合部２３と枢着する第８枢着部６３が設けられており、前方に前方枠５の第７枢着部５８と枢着する第１０枢着部６５が設けられている。【選択図】図１
0003198002.tif 000002
【実用新案登録請求の範囲】
【請求項１】
両側に互いに対向する側枠が設けられており、前方に接合部が設けられており、後方に第１枢着部が設けられている基座と、
両側に側棒が設けられており、下方に底棒が設けられており、２本の前記側棒の下方に側接合部が設けられている背もたれと、
細長い板体であり、前記基座の両側に各々設けられており、頂端に第２枢着部が設けられており、前記基座の後方の第１枢着部と枢着し、前記側接合部と接合可能な案内溝が長手方向に設けられており、下方の高さが異なる位置に第３枢着部および第４枢着部が各々設けられている２つの作動板と、
２本の側棒を有し、２本の前記側棒の後端に２つの前記作動板の第３枢着部と枢着する第５枢着部が設けられており、且つ２本の前記側棒の前方に接合部が設けられている座部と、
前記座部の下方の位置に設けられており、対向する２つの側板を有し、２つの前記側板の後方に前記第４枢着部と枢着する第６枢着部が設けられており、前方に上部接合柱および下部接合柱が設けられており、前記上部接合柱および下部接合柱が前記座部及び前記基座の前記接合部と接合し、第７枢着部が設けられている前方枠と、
対向する２つの側板を有し、前記側板の後方に前記背もたれの前記側接合部と枢着する第８枢着部が設けられており、前方に前記前方枠の第７枢着部と枢着する第１０枢着部が設けられている後方枠と、を備え、
座位姿勢に応じる時、前記背もたれの前記側接合部が前記作動板の前記案内溝の上方の位置に対応し、また前記背もたれが臥位姿勢に対応する角度まで後方に倒した時、２つの前記作動板が連動し、前記座部、前記前方枠、および前記後方枠が移動し、前記側接合部が前記作動板の前記案内溝の下方の位置まで移動し、前記座部に向かって移動することを特徴とする椅子。
【請求項２】
ランバーサポートを更に備え、
前記背もたれの前記底棒に下部接合部が設けられており、前記後方枠の後方に前記ランバーサポートと枢着する第９枢着が設けられており、前記ランバーサポートが前記背もたれの下方の位置に設けられており、２個の側棒部を有し、下方に底棒部を有し、２個の前記側棒部に前記後方枠の第９枢着部と枢着する第１１枢着部が設けられており、前記底棒部が前記背もたれの前記下部接合部に位置し、
座位姿勢に応じた時、前記ランバーサポートが前記背もたれの前方から突出し、
前記背もたれが後方へ臥位姿勢位置まで倒れた時、前記作動板、前記前方枠、および前記後方枠が連動して前記ランバーサポートが前記背もたれに向かって移動することで前記背もたれから突出する高さを減らすことが可能であることを特徴とする請求項１に記載の椅子。
【請求項３】
前記背もたれの前記下部接合部は、前記ランバーサポートの前記底棒部を収容可能である接合溝を有し、
前記接合溝は、前記ランバーサポートの前記底棒部の幅より広い幅を有し、２個のばねを更に有し、２個の前記ばねの両端が前記ランバーサポートの前記側棒部及び前記後方枠の前記側板と接合することを特徴とする請求項２に記載の椅子。
【請求項４】
前記基座及び前記座部の前記接合部が、案内溝を各々有し、前記基座、前記座部、および前記作動板の前記案内溝に、前記案内溝において移動可能なスライドブロックが各々設けられており、前記背もたれの前記側接合部に接合凸部が設けられており、前記背もたれの前記接合凸部、ならびに、前記前方枠の前記上部接合柱および前記下部接合柱が前記案内溝の前記スライドブロックと各々接合することを特徴とする請求項１又は２のいずれか一項に記載の椅子。
【請求項５】
前記背もたれの前記側接合部は上下に配列する接合片を有し、
前記接合凸部は前記接合片上に設けられており、
前記作動板の前記案内溝は前記上下に配列する接合片に対して上下に配列して設けられていることを特徴とする請求項４に記載の椅子。
【請求項６】
前記基座は、両側に支持柱が設けられており、２個の前記側枠が前記支持柱に設けられていることを特徴とする請求項１又は２のいずれか一項に記載の椅子。
【請求項７】
前記基座は、中央に支持柱が設けられており、前記支持柱の上方に横枠が設けられており、２個の前記側枠が前記横枠の両側に設けられていることを特徴とする請求項１又は２のいずれか一項に記載の椅子。
【請求項８】
前記基座は、１つの前記側枠に固定ボタンが設けられており、
前記固定ボタンは、接合孔と締付けつまみとを有し、前記前方枠の一側の下部接合柱の位置にガイド棒と接合しており、前記ガイド棒にロック機構を挿入かつ設置し、前記ロック機構の一側が前記基座の前記固定ボタンの前記接合孔に挿通する挿入柱を有し、前記挿入柱内に締付けつまみと螺合する螺合孔が形成されていることを特徴とする請求項１又は２のいずれか一項に記載の椅子。
【考案の詳細な説明】
【技術分野】
【０００１】
本考案は、椅子に関し、特に、座位姿勢から臥位姿勢に変えた時、人体背中の背もたれに対応する位置の変化を減少する椅子に関する。
【背景技術】
【０００２】
従来の椅子には、座り心地の快適さ及び適用性を向上するため、背もたれを後ろへ倒して斜めに横たわられる構成を有する。図１０に示したのは従来の一構造であり、主に基座１´、座部２´、背もたれ３´からなる。該基座１´の上方後側に第１枢着部１１´を設け、前方中央にスライド部１２´を設け、又座２´の前端にスライドバー２１´を設け、該スライドバー２１´が前記スライド部１２´に応じて移動でき、また後端に第２枢着部２２´を設け、背もたれ３´の下方に第３枢着部３１´を設けて基座１´の第１枢着部１１´と枢着し、また第３枢着部３１´の下方に第４枢着部３２´を設けて座部２´の第２枢着部２２´と枢着し、背もたれ３´に人体の腰を支えることのできるランバーサポート３３´を突設する。
【０００３】
前記構造の背もたれ３´は、座る人に座位姿勢で座らせ、また座った時頭が背もたれ３´ａ´の位置に対応し、座る人の腰ｂ´が突出ランバーサポート３３´位置に対応でき、背もたれ３´の後方への傾斜角度量が増大させた時座２´を上昇及び前方移動させ、スライドバー２１´が基座１´のスライド部１２´位置に移動させ、座る人の背中が臥位姿勢で背もたれ３´上に横になることで快適性を向上させることができる。
【０００４】
しかしながら背もたれ３´の後方への傾斜角度量が増大した時、背もたれ３´と人体背中の相対位置が大幅に変わり、例えば図面内の背もたれ３´、座２´の基準点ｃ´、ｄ´の座位姿勢時の距離をｅ´とし、臥位姿勢時の基準点ｃ´、ｄ´の距離をｆ´とし、該ｆ´の長さｅ´の長さよりもはるかに長く、その長さは約４５〜６０ｍｍとなり、人体背中と背もたれ３´のフィット位置が大幅に変わり、また図内の人体背中が背もたれ３´に応じて摺動して頭がｇ´の位置にある状態を形成し、横になると不快感が生じるという欠点を有し、且つ横にした時の人体の腰が、時々ランバーサポート３３´に対応できないことで、腰の上方位置が突出ランバーサポート３３´に当接し、更に横になった時に不快感が生じていた。
【考案の概要】
【考案が解決しようとする課題】
【０００５】
本考案の主な目的は、座位姿勢を臥位姿勢に変えた時、人体背中の背もたれに対応する位置の変化を減少する椅子を提供することである。
【０００６】
本考案の他の目的は、座位姿勢と臥位姿勢時の背もたれに応じて異なる突出高さの構成を有する可動式ランバーサポートを背もたれの上に設ける椅子を提供することである。
【課題を解決するための手段】
【０００７】
本考案による椅子は、基座、背もたれ、二つの作動板、座部、前方枠、および後方枠を備える。基座は、両側が対向の側枠を有し、前方に接合部が設けられており、後方に第１枢着部が設けられている。背もたれは、両側に側棒が設けられており、下方に底棒が設けられており、２本の側棒の下方に側接合部が設けられている。２つの作動板は、細長い板体であり、基座の両側に各々設けられており、頂端に第２枢着部が設けられており、基座の後方の第１枢着部と枢着し、側接合部と接合可能な案内溝が長手方向に設けられており、下方の高さが異なる位置に第３枢着部および第４枢着部が各々設けられている。座部は、２本の側棒を有し、２本の側棒の後端に２つの作動板の第３枢着部と枢着する第５枢着部が設けられており、且つ２本の側棒の前方に接合部が設けられている。前方枠は、座部の下方の位置に設けられており、対向する２つの側板を有し、２つの側板の後方に第４枢着部と枢着する第６枢着部が設けられており、前方に上部接合柱および下部接合柱が設けられており、上部接合柱および下部接合柱が座部及び基座の接合部と接合し、第７枢着部が設けられている。後方枠は、対向する２つの側板を有し、側板の後方に背もたれの側接合部と枢着する第８枢着部が設けられており、前方に前方枠の第７枢着部と枢着する第１０枢着部が設けられている。
座位姿勢に応じる時、背もたれの側接合部が作動板の案内溝の上方の位置に対応し、また背もたれが臥位姿勢に対応する角度まで後方に倒した時、２つの作動板が連動し、座部、前方枠、および後方枠が移動し、側接合部が作動板の案内溝の下方の位置まで移動し、座部に向かって移動する。これにより、座位姿勢から臥位姿勢に変えた時背もたれと座部の設定基準点の平行距離変化を減少でき、また人体背中と背もたれのフィット位置の変化を減少する効果を奏して好ましい快適性を持たせることができる。
【０００８】
更に一歩進んで、本考案はランバーサポートを更に含み、また該背もたれの底棒に下部接合部を設け、後方枠の後方に第９枢着を設けてランバーサポートと枢着する。またランバーサポートが背もたれの下方位置に設けられ、２個の側棒部を備え、下方に底棒部を備え、２個の側棒部に第１１枢着部を設けて後方枠の第９枢着部と枢着する、底棒部は背もたれの下部接合部に位置し、椅子が座位姿勢に応じた時ランバーサポートが背もたれの前方から突出させ、また背もたれが後方へ臥位姿勢位置まで倒れた時、作動板、前方枠、後方枠を連動してランバーサポートが背もたれに向かって移動させると共に背もたれから突出する高さを減らすことができる。
【０００９】
更に一歩進んで、該背もたれの下部接合部は、ランバーサポートの底棒部を収容できる接合溝を備え、該接合溝の幅が、ランバーサポートの底棒部の幅より広くなる。また２個のばねを更に含み、該２個のばねの両端がランバーサポートの側棒部及び後方枠の側板と接合し、ランバーサポート組立安定性及び振れ動作の弾性を向上する効果を奏することができる。
【００１０】
更に一歩進んで、該基座及び座部の接合部が、案内溝を各々備え、該基座、座部、作動板の案内溝に案内溝において移動できるスライドを各々設けられ、また該背もたれの側接合部に接合凸部を設け、背もたれの接合凸部及び前方枠の上部、下部接合柱を案内溝上のスライドブロックと各々接合させる。該スライドブロックが作動のより一層スムーズな効果を向上できる。
【００１１】
更に一歩進んで、該背もたれの側接合部が上下に配列する接合片を備え、接合凸部が該接合片上に設けられ、また作動板の案内溝が該上下に配列する接合片に対して上下に配列して設けられ、また２点支持を通じて作動支持の安定効果を向上することができる。
【００１２】
更に一歩進んで、該基座の両側は支持柱を備え、また２個の側枠が両側の支持柱の上に設けられ、また該基座の中央にも支持柱を備えることができ、支持柱の上方に横枠を設け、また２個の側枠が横枠両側に設けられる。
【図面の簡単な説明】
【００１３】
【図１】本考案の第一実施形態による椅子を示す分解図である。
【図２】本考案の第一実施形態による椅子を示す斜視図であり、座位姿勢の状態を示す。
【図３】本考案の第一実施形態による椅子を示す側面図であり、座位姿勢の状態を示す。
【図４】本考案の第一実施形態による椅子を示す前面図であり、座位姿勢の状態を示す。
【図５】本考案の第一実施形態による椅子の背もたれが所定角度で後方に倒れた状態の側面を示す模式図である。
【図６】本考案の第一実施形態による椅子の背もたれが臥位姿勢位置まで後方に倒れた状態の側面を示す模式図である。
【図７】本考案の第一実施形態による椅子の背もたれが臥位姿勢位置まで後方に倒れた状態の側面を示す斜視図である。
【図８】本考案の第二実施形態による椅子の基座を示す模式図である。
【図９】本考案の第二実施形態による椅子の基座を示す斜視図である。
【図１０】従来の椅子の側面及び作動を示す模式図である。
【考案を実施するための形態】
【００１４】
（第一実施形態）
以下の実施形態において本考案の同種機能の構成要素は、同じ符号で表示する。図１〜図４は、本考案の第一実施形態による椅子を示す分解図、組立立体図、組立側面図、組立前面図であり、座位姿勢状態を示す。本考案の第一実施形態は基座１と背もたれ２と２つの作動板３と座部４と前方枠５と後方枠６とランバーサポート７とを含む。該基座１の両側は支持柱１１を備え、該両側の支持柱１１に対称となる側枠１２を設け、また該２つの側枠１２の前方内側に後方から前方へ段々に高くなる斜め案内溝１３を設け、且つ案内溝１３内にスライドブロック１３１を設け、２つの側枠１２の後方に第１枢着部１４を設け、１つの側枠１２に固定ボタン１５を設け、該固定ボタン１５が接合孔１５１と締付けつまみ１５２とを備える。
【００１５】
背もたれ２の両側が側棒２１を備え、下方に底棒２２を備え、また２本の側棒２１の下方の対応位置に側接合部２３を凸設し、該側接合部２３が上下に配列する接合片２３１を有し、接合片２３１に接合凸部２３２を設ける。また底棒２２の中央に下部接合部２４を設け、該下部接合部２４はＵ字形体で、また中央が接合溝２４１を備える。
【００１６】
２つの作動板３は、細長い板体で、基座１の両側に設けられ、頂端に第２枢着部３１を設けて基座１の第１枢着部１４と枢着し、また直方向に案内溝３２を設けると共に案内溝３２にスライドブロック３２１を設けて背もたれ２の側接合部２３と接合する。該案内溝３２が上下に配列され、上下に配列する案内溝３２上のスライドブロック３２１が背もたれ２の上下に配列する接合片２３１の接合凸部２３２と接合させ、背もたれ２と作動板３間は２点接合によって作動及び支持の安定性を向上させることができる。また２つの作動板３の高さが異なる位置に第３、第４枢着部３３、３４を各々設ける。
【００１７】
座部４は、２本の側棒４１を備え、２本の側棒４１の間に連結するための横棒４２を有する。また２本の側棒４１の後端に第５枢着部４３を設けて２つの作動板３の第３枢着部３３と枢着し、２本の側棒４１の前方に寄せる内側に後方から前方へ段々高くなる斜め案内溝４４を設け、案内溝４４内にスライドブロック４４１を設ける。
【００１８】
前方枠５は、座部４の下方位置に設けられ、対向の２枚の側板５１を備え、２枚の側板５１の間が連接棒５２で連結し、また該２枚の側板５１の後方に第６枢着部５３を設けて２つの作動板３の第４枢着部３４と枢着する。また前方の座部４に対応する案内溝４４及び基座１の案内溝１３の位置に案内溝４４、１３内のスライドブロック４４１、１３１と組み立てることができる上部接合柱５４、下部接合柱５５を各々設ける。また一側の下部接合柱５５位置にガイド棒５６と接合し、ガイド棒５６にロック機構５７を挿入して構設し、ロック機構５７の一側が基座の固定ボタン１５の接合孔１５１に挿通する挿入柱５７１を備え、また挿入柱５７１内に締付けつまみ１５２と螺合する螺合孔５７２を設け、締付けつまみ１５２を緩める時、ガイド棒５６がロック機構５７に応じて移動させることができ、締付けつまみ１５２を締め付ける時、ガイド棒５６の位置をロックできる。また２枚の側板５１前方に第７枢着部５８を設ける。
【００１９】
後方枠６は、２枚の対向の側板６１を備え、側板６１間に連結用横棒６２を設け、後方に第８枢着部６３を設けて背もたれ２の側接合部２３の接合凸部２３２と枢着し、また第８枢着部６３の前方に寄せる位置に第９枢着部６４を設ける。且つ２枚の側板６１前方に第１０枢着部６５を設けて前方枠５の第７枢着部５８と枢着する。
【００２０】
ランバーサポート７は背もたれ２の下方位置に設けられ、２つの側棒部７１を備え、下方が底棒部７２を有し、また２つの側棒部７１に第１１枢着部７３を設けて後方枠６の第９枢着部６４と枢着する。下方の底棒部７２は背もたれ２の下部接合部２４の接合溝２４１に位置し、且つ底棒部７２の幅は接合溝２４１より狭い。また第１１枢着部７３にばね７４を設け、ばね７４の両端はランバーサポート７の側棒部７１及び後方枠６の側板６１と接合し、ランバーサポート７がばね７４の弾性力を通じて枢着させることで接合安定性を向上でき、底棒部７２を通じて接合溝２４１範囲内に作動して振れ角度を制限し、またランバーサポート７が座位姿勢及び臥位姿勢に応じて動作する時、底棒部７２は接合溝２４１内に移動できる。
【００２１】
本考案の組立後、前方枠５、後方枠６は座部４支持性を向上でき、背もたれ２の後方への傾斜角度量の変化が２つの作動板３、座部４、前方枠５、後方枠６、ランバーサポート７を連動できる。背もたれ２は座位姿勢に対応する角度の時、背もたれ２の側接合部２３が作動板３の案内溝３２上方位置にあり、前方枠５の上部接合柱５４が座部４の案内溝４４後方に対応する位置にあり、下部接合柱５５が基座１の案内溝１３後方に対応する位置にある。また図３に示すように背もたれ２の設定基準点ａと座部４の設定基準点ｂは、第１距離ｃを有し、また該ランバーサポート７の背もたれ２から突出する高さがｄとする。
【００２２】
図５は、背もたれ２が少し角度まで後方に倒れた状態で図６、図７が背もたれ２が最大角度まで後方に倒れた状態である。背もたれ２が座位姿勢の位置から臥位姿勢に対応する動作まで後方に倒れた時、背もたれ２は２つの作動板３間を連動して座部４、前方枠５、後方枠６を動かせ、また同時にランバーサポート７を連動させる。背もたれ２の後方に倒した時、その側接合部２３は作動板３のスライドブロック３２１を連動して作動板３の案内溝３２において下方に向かって移動でき、且つ該作動板３は第２枢着部３１が基座１に対して枢回して下方を跳ね上げる。また該座部４後方の第５枢着部４３は、作動板３の第３枢着部３３によって連動して跳ね上げ、前方枠５の第６枢着部５３が作動板３の第４枢着部３４によって連動して前方移動でき、前移過程において上部接合柱５４が座部４の案内溝４４前方位置まで移動でき、下部接合柱５５が同時に基座１の案内溝１３前方位置まで移動でき、座部４は前方枠５を通じて同時に基座１と連結することで安定な支持効果を奏することができる。
【００２３】
また該背もたれ２下方の側接合部２３は、作動板３の案内溝３２に沿って下方に向かって移動する時、座部４後側の下方位置まで前へ移動でき、該背もたれ２の設定基準点ａと座部４の設定基準点ｂを平行に対応する第２距離ｅと座位姿勢に対応する第１距離ｃは、比較的大きな差がなく、座る人が座位姿勢から臥位姿勢に変えた時、その背中と背もたれ２の相対位置の大幅な変化によって背中が背もたれに沿って大幅に摺動する状況を避けることができ、また快適性を向上できる。
【００２４】
該背もたれ２は後方に倒れた時、前方枠５が前へ移動する動作に対応して後方枠６前方の第１０枢着部６５位置を上方に向かわせ、後方枠６後端の第８枢着部６３が背もたれ２に対して枢転させ、第９枢着部６４位置が背もたれ２方向に向かって移動させることで、ランバーサポート７の背もたれ２から突出する高さｆを変更させることができる。その高さｆは、図３に示す座位姿勢の高さｄに比べて小さい。こうすると、臥位姿勢時、背もたれ２が更に平坦させ、ランバーサポート７が背もたれ２に応じて大幅に突出させることがないため、フィット性を向上できる。
【００２５】
横にする時、ランバーサポート７が人体の腰以上位置にある際の不快感を防止できる。
【００２６】
このほかに、本考案は、座位姿勢から臥位姿勢に変え或いは臥位姿勢から座位姿勢に変えた時、該前方枠５のガイド棒５６が基座１の固定ボタン１５と接合するロック機構５７に沿って移動でき、また背もたれの後方への傾斜角度を調整した後締付けつまみ１５２を締め付けてロック機構５７とガイド棒５６をロックさせることで背もたれ２の後方への傾斜角度を固定できる。
【００２７】
（第二実施形態）
図８、図９は、本考案の第二実施形態を示す。第二実施形態は、第一実施形態と類似し、その相違点は、基座１の中央が支持柱１１であり、支持柱１１上方に横枠１１１が設けられており、横枠１１１の両側に側枠１２が設けられていることである。その組立は、図１に示すように基座１の両側が支持柱１１を備え、側枠１２に各々接合し、同じ機能を有する。
本考案のスライドブロックは、必要な構造ではなく、且つ滑車又はその他の部材で代替できる。本考案が後方枠、ランバーサポートを備える時も本考案の主なアピールを有し、座位姿勢から臥位姿勢に変えた時人体背中の背もたれに対応する臥位の大幅な変化を減らすことができ、また実施形態があくまで本考案の例示であり、この例によって何ら制限されるものではない。本考案の精神を逸脱しない範囲内において種々の改良変更をなし得ることは、本考案の実用新案登録請求の範囲内に含めるものであるのが勿論である。
【符号の説明】
【００２８】
１  基座、
１１  支持柱、
１１１  横枠、
１２  側枠、
１３  案内溝、
１３１  スライドブロック、
１４  第１枢着部、
１５  固定ボタン、
１５１  接合孔、
１５２  締付けつまみ、
２  背もたれ、
２１  側棒、
２２  底棒、
２３  側接合部、
２３１  接合片、
２３２  接合凸部、
２４  下部接合部、
２４１  接合溝、
３  作動板、
３１  第２枢着部、
３２  案内溝、
３２１  スライドブロック、
３３  第３枢着部、
３４  第４枢着部、
４  座部、
４１  側棒、
４２  横棒、
４３  第５枢着部、
４４  案内溝、
４４１  スライドブロック、
５  前方枠、
５１  側板、
５２  連接棒、
５３  第６枢着部、
５４  上部接合柱、
５５  下部接合柱、
５６  ガイド棒、
５７  ロック機構、
５７１  挿入柱、
５７２  螺合孔、
５８  第７枢着部、
６  後方枠、
６１  側板、
６２  連接棒、
６３  第８枢着部、
６４  第９枢着部、
６５  第１０枢着部、
７  ランバーサポート、
７１  側棒部、
７２  底棒部、
７３  第１１枢着部、
７４  ばね、
１´  基座、
１１´  第１枢着部、
１２´  スライド部、
２´  座部、
２１´  スライドバー、
２２´  第２枢着部、
３´  背もたれ、
３１´  第３枢着部、
３２´  第４枢着部、
３３´  ランバーサポート。
【図１】
0003198002.tif 000003
【図２】
0003198002.tif 000004
【図３】
0003198002.tif 000005
【図４】
0003198002.tif 000006
【図５】
0003198002.tif 000007
【図６】
0003198002.tif 000008
【図７】
0003198002.tif 000009
【図８】
0003198002.tif 000010
【図９】
0003198002.tif 000011
【図１０】
0003198002.tif 000012